(57)【要約】      （修正有）【課題】焦点を調節でき、出光率を高める焦点調節レンズ構造及びトラックライトを提供する。【解決手段】焦点調節レンズ構造は、内面に複数の切り欠き溝１１１が設けられるレンズ１１と、突出部１２１が設けられ、レンズ１１が固定して取り付けられる摺動部１２と、案内部１３１が設けられ、摺動部１２が套設され、突出部１２１が案内部１３１に摺動可能に嵌め込まれる支持部１３と、突出部１２１が嵌め込まれる螺旋状溝１４１を有し、支持部１３が套設される調整部１４と、調整部１４が取り付けられ、支持部１３が固定して接続されるベース１５と、を備え、調整部１４の回動と、レンズの内面の切り欠き溝１１１による光の出射角度の変化によって、焦点を調節するとともに、光の出光率を高くする。【選択図】図３
0003227142.tif 000002
【実用新案登録請求の範囲】
【請求項１】
内面に複数の切り欠き溝が設けられるレンズと、
突出部が設けられ、前記レンズが固定して取り付けられる摺動部と、
案内部が設けられ、前記摺動部が套設され、前記突出部が前記案内部に摺動可能に嵌め込まれる支持部と、
前記突出部が嵌め込まれる螺旋状溝が開けられ、前記支持部が套設される調整部と、
前記調整部が取り付けられ、前記支持部が固定して接続されるベースと、を備える、
ことを特徴とする焦点調節レンズ構造。
【請求項２】
複数の前記切り欠き溝は互いに交差するように構成され、前記レンズの内面に格子状構造を形成する、
ことを特徴とする請求項１に記載の焦点調節レンズ構造。
【請求項３】
前記支持部の前記レンズに向かって延びている一方側には、制限部が設けられ、前記制限部は前記支持部の外側の径方向に凸出し、前記制限部の前記ベースに向かう一方側が前記調整部に当接する、
ことを特徴とする請求項１又は請求項２に記載の焦点調節レンズ構造。
【請求項４】
前記調整部の下端面が前記ベースの上端面に当接する、
ことを特徴とする請求項３に記載の焦点調節レンズ構造。
【請求項５】
前記支持部には、バックルが設けられ、それに対応して、前記ベースの内部には、凹溝が設けられ、前記バックルは前記凹溝に嵌め込まれる、
ことを特徴とする請求項１又は請求項４に記載の焦点調節レンズ構造。
【請求項６】
前記調整部の下端面には、位置決め部が設けられ、それに対応して、前記ベースの上端面の周方向に位置決め溝が開けられ、前記位置決め溝の内部には、限定端部が設けられる、
ことを特徴とする請求項１に記載の焦点調節レンズ構造。
【請求項７】
前記位置決め溝の内部の周方向には、少なくとも１つの固定部が設けられ、前記位置決め部は前記固定部に挿入される、
ことを特徴とする請求項６に記載の焦点調節レンズ構造。
【請求項８】
前記レンズの外側に套設されるとともに、前記摺動部に接続されるアダプター部をさらに備える、
ことを特徴とする請求項１又は請求項７に記載の焦点調節レンズ構造。
【請求項９】
光源と、
前記光源が固定された放熱部と、
前記放熱部が固定して取り付けられる請求項１〜８のいずれか１項に記載の焦点調節レンズ構造と、を備えるトラックライト。
【考案の詳細な説明】
【技術分野】
【０００１】
本考案は、光学素子の技術分野に関し、特に焦点調節レンズ構造に関する。
【背景技術】
【０００２】
従来のトラックライト、トンネルライトなどの照明灯具では、光の配光を行うレンズが取り付けられ、そして、光源からレンズまでの距離を調整することによって、光源について焦点を柔軟に調節する。しかし、従来のトラックライトのほとんどは、光源からレンズまでの距離を調整できず、また、レンズ自体の制限のため、光源の光がレンズから確実に出射できず、出光率の低下をもたらす。
【考案の概要】
【考案が解決しようとする課題】
【０００３】
本考案は、少なくとも従来技術に存在する技術的課題の１つを解決することを目的とする。このため、本考案は、焦点を柔軟に調節でき、そして焦点調節過程において出光率を高める焦点調節レンズ構造を提案する。また、本考案は、上記焦点調節レンズ構造を備えるトラックライトを提案する。
【課題を解決するための手段】
【０００４】
本考案の第一態様の実施例に係る焦点調節レンズ構造は、
内面に複数の切り欠き溝が設けられるレンズと、
突出部が設けられ、前記レンズが固定して取り付けられる摺動部と、
案内部が設けられ、前記摺動部が套設され、前記突出部が前記案内部に摺動可能に嵌め込まれる支持部と、
前記突出部が嵌め込まれる螺旋状溝が開けられ、前記支持部が套設される調整部と、
前記調整部が取り付けられ、前記支持部が固定して接続されるベースと、を備える。
【０００５】
本考案の実施例に係る焦点調節レンズ構造は、少なくとも下記有益な効果を有する。レンズの内面には切り欠き溝が設けられるため、光の出射角度を変えることができ、それによって、焦点を調節するとともに、光の出光率を高める。
【０００６】
本考案のいくつかの実施例によれば、複数の前記切り欠き溝は互いに交差するように構成され、前記レンズの内面に格子状構造を形成する。
【０００７】
本考案のいくつかの実施例によれば、前記支持部の前記レンズに向かって延びている一方側には、制限部が設けられ、前記制限部は前記支持部の外側の径方向に凸出し、前記制限部の前記ベースに向かう一方側が前記調整部に当接する。
【０００８】
本考案のいくつかの実施例によれば、前記調整部の下端面が前記ベースの上端面に当接する。
【０００９】
本考案のいくつかの実施例によれば、前記支持部には、バックルが設けられ、それに対応して、前記ベースの内部には、凹溝が設けられ、前記バックルは前記凹溝に嵌め込まれる。
【００１０】
本考案のいくつかの実施例によれば、前記調整部の下端面には、位置決め部が設けられ、それに対応して、前記ベースの上端面の周方向に位置決め溝が開けられ、前記位置決め溝には、限定端部が設けられる。
【００１１】
本考案のいくつかの実施例によれば、前記位置決め溝の内部の周方向には、少なくとも１つの固定部が設けられ、前記位置決め部は前記固定部に挿入される。
【００１２】
本考案のいくつかの実施例によれば、前記レンズの外側に套設されるとともに、前記摺動部に接続されるアダプター部をさらに備える。
【００１３】
本考案の第二態様の実施例に係るトラックライトは、
光源と、
前記光源が固定された放熱部と、
前記放熱部が固定して取り付けられる上記焦点調節レンズ構造と、を備える。
【考案の効果】
【００１４】
本考案の実施例に係るトラックライトは、少なくとも下記有益な効果を有する。レンズの内面には切り欠き溝が設けられるため、光源がレンズを通って射出する光の角度を変えることができ、それによって、出光率を高める。
【００１５】
本考案の付加的な態様及び利点は、以下の説明において提供され、その一部は、以下の説明から明らかになり、又は本考案を実施することにより把握される。本考案の上記及び／又は付加的な態様及び利点は、以下の図面を参照しながら実施例を説明することによって、明らかで理解しやすくなる。
【図面の簡単な説明】
【００１６】
【図１】本考案の一実施例に係る焦点調節レンズ構造の正面図である。
【図２】図１のＡ−Ａ部の断面模式図である。
【図３】図１に示される焦点調節レンズ構造の組立模式図である。
【図４】図３に示されるレンズの構造模式図である。
【図５】図３に示されるレンズの正面図である。
【図６】本考案の一実施例に係る焦点調節レンズ構造の組立模式図である。
【図７】本考案の一実施例に係るトラックライトの組立模式図である。
【考案を実施するための形態】
【００１７】
以下、本考案の実施例を詳細に説明し、前記例示的な実施例は、図面に示され、図面を通じて、同じ又は類似する符号は、同じもしくは類似する素子又は同じもしくは類似する機能を有する素子を示す。以下、図面を参照しながら説明する実施例は例示的なものであり、本考案を解釈するために過ぎず、本考案を制限するものとして理解すべきではない。
【００１８】
なお、本考案の説明において、方位に関連する説明、たとえば、上、下、前、后、左、右、中、底、頂、内、外などにより示される方位又は位置関係は、図面に示される方位又は位置関係に基づくものであり、本考案の説明の便宜及び説明の簡素化のために過ぎず、示される装置又は素子が必ずしも特定の方位を有したり、特定の方位で構造・操作されたりすることを示唆又は指示するものではなく、したがって、本考案を制限するものとして理解すべきではない。
【００１９】
本考案の説明では、より大きい、より小さい、超えるなどは、かかる数を含まないとして理解され、以上、以下、以内などは、かかる数を含むとして理解される。第一、第二の用語は、構成要素を区別するために過ぎず、相対重要性を示唆もしくは指示するか、又は、示される構成要素の数もしくは示される構成要素の順番を暗黙的に示すものではない。
【００２０】
本考案の説明では、特に断らない限り、「設けられる」、「取り付けられる」、「接続される」などの用語は広義で理解すべきであり、当業者であれば、技術案の具体的な内容に基づいて上記用語の本考案での具体的な意味を適切に判断できる。
【００２１】
図１〜図３に示されるように、本考案の実施例に係る焦点調節レンズ構造１は、レンズ１１、摺動部１２、支持部１３、調整部１４及びベース１５を備える。レンズ１１の内面には、複数の切り欠き溝１１１が設けられる。摺動部１２には、複数の突出部１２１が設けられ、レンズ１１は摺動部１２に固定して取り付けられる。支持部１３には、複数の案内部１３１が設けられ、摺動部１２は支持部１３に套設される。突出部１２１は、案内部１３１に摺動可能に嵌め込まれる。調整部１４には、突出部１２１が嵌め込まれる螺旋状溝１４１が設けられ、支持部１３は調整部１４に套設される。調整部１４はベース１５に取り付けられ、支持部１３はベース１５に固定して接続される。
【００２２】
本実施例では、レンズ１１、摺動部１２、支持部１３及び調整部１４は順次套設され、且つベース１５に固定される。摺動部１２の外周面には、突出部１２１が設けられる。支持部１３には、案内部１３１が設けられる。たとえば、本実施例では、案内部１３１は、支持部１３の側壁に設けられ、支持部１３の軸方向に延びている溝である。突出部１２１は、案内部１３１（即ち溝）に嵌め込まれて、それを貫通し、そして案内部１３１の内部を往復摺動することができる。調整部１４の内側には、螺旋状溝１４１が設けられる。具体的には、この螺旋状溝１４１は、ネジ溝としてもよく、ピッチが３０ｍｍより大きいようにしてもよく、半周未満回すと、フルストロークの調整ができる。突出部１２１は螺旋状溝１４１の内部に当接できる。調整部１４が正方向又は逆方向に回されると、螺旋状溝１４１は、突出部１２１が案内部１３１の内部を往復移動し、支持部１３に固定されたレンズ１１をその往復移動に連動して光源に接近又は離間させるように駆動し、それによって、焦距調整が実現される。
【００２３】
具体的には、本実施例では、摺動部１２の外周面には、２つの突出部１２１が設けられ、それぞれ第一突出部１２１ａと第二突出部１２１ｂである。それに対応して、螺旋状溝１４１には、第一螺旋状溝１４１ａ及び第二螺旋状溝１４１ｂが設けられる。案内部１３１には、第一案内部１３１ａ及び第二案内部１３１ｂが設けられる。二層の螺旋状溝１４１及び両側の突出部１２１が設けられることによって、焦点を安定的に調節することができる。これに加えて、突出部１２１、螺旋状溝１４１及び案内部１３１はいずれも３つ、４つ又は他の数設けられてもよく、焦点を安定的に調節できれば特に限定されない。レンズ１１の内面には、複数本の切り欠き溝１１１が設けられ、光が切り欠き溝１１１を通過して反射され、光の出光角度が変わり、光源がレンズから外へ出射する光が、レンズの正方向から出射する確率を高め、光がレンズの側面から屈折されて射出される割合を低下させ、それによって、出光率を高め、光効率をより良好にする。
【００２４】
図４又は図５に示されるように、光が切り欠き溝１１１によってさまざまな角度で反射されるようにするために、レンズ１１の内面において異なる方向の切り欠き溝１１１が設けられ得ることが考えられる。複数の切り欠き溝１１１は、互いに交差するように構成され、レンズ１１の内面に格子状構造を形成する。たとえば、レンズ１１の内面において、レンズ１１の伸縮方向に複数の縦切り欠き溝１１１が設けられるとともに、レンズ１１の内面において、周方向に複数の横切り欠き溝１１１が設けられ、縦切り欠き溝１１１と横切り欠き溝１１１は互いに交差しており、互いに交差する複数の切り欠き溝１１１は、レンズ１１の内面に格子構造を形成し、光源からの光が縦・横切り欠き溝１１１を通過するときに異なる角度で反射され、レンズ１１が側面で発生する屈折をできるだけ減少し、それによって、光が反射された後にレンズ１１の正方向から射出され、焦点調節レンズ構造１全体の出光率が高くなる。次に、レンズ１１の内面に切り欠き溝１１１を斜めに設けてもよく、この場合にも、光の拡散角度を変えて、光をより均一にする。
【００２５】
図３に示されるように、いくつかの実施例では、調整部１４がレンズ１１の延出方向へ移動することを防止するために、レンズ１１に向かって延びている支持部１３の一方側には、制限部１３２が設けられる。制限部１３２は、支持部１３の外側の径方向へ凸出するように設けられ、そして、制限部１３２のベース１５に向かう一方側は、調整部１４の上端面に当接する。支持部１３の底部がベース１５に固定される。調整部１４を回してレンズ１１を調整する際に、制限部１３２のベース１５に向かう一方側（図１には下端面）は調整部１４の上端面に当接し、それによって、レンズ１１の延出方向における調整部１４の移動が制限され、調整部１４が移動して抜けることが避けられる。制限部１３２は、支持部１３の外周面を取り囲む環状構造としてもよく、支持部１３の外周面に沿って間隔を空けて設けられる凸起としてもよく、調整部１４の上下移動を制限できれば特に限定されない。
【００２６】
さらに、図３に示されるように、ベース１５の方向への調整部１４の移動を制限するために、調整部１４の下端面１４２はベース１５の上端面１５１に当接するとともに、制限部１３２と協働することによって、調整部１４を支持部１３の外側に固定し、調整過程を安定化できることが考えられる。
【００２７】
図６に示されるように、いくつかの実施例では、支持部１３とベース１５を確実に固定するために、支持部１３の底部には、バックル１３３が設けられ、それに対応して、ベース１５の内側壁には、凹溝１５２が設けられ、バックル１３３は凹溝１５２に嵌め込まれ得る。具体的には、本実施例では、バックル１３３及び凹溝１５２は、いずれも２つ設けられ、支持部１３及びベース１５の両側から相対移動が制限できる。バックルと凹溝の数は場合によって増加または減少してもよく、支持部１３とベース１５を確実に固定できれば特に限定されない。
【００２８】
図７に示されるように、いくつかの実施例では、位置決め溝１５３における調整部１４の移動位置を制限するために、調整部１４の下端面には、位置決め部１４３が突設され、それに対応して、ベース１５の上端面の周方向には、位置決め溝１５３が設けられ、位置決め部１４３は、位置決め溝１５３に沿って摺動可能であり、位置決め溝１５３には、限定端部１５４が設けられる。たとえば、本実施例では、位置決め溝１５３には、第一限定端部１５４ａ及び第二限定端部１５４ｂが設けられる。位置決め部１４３は、所定角度回動すると、第一限定端部１５４ａ又は第二限定端部１５４ｂに当接し、それによって、一回の焦点調節過程に調整部１４が過剰に回転することを回避し、さらに調整部１４の耐用年数を延ばす。
【００２９】
図７に示されるように、焦点調節後の調整部１４の位置決め溝１５３での予想以外の回転を制限するために、位置決め溝１５３の周方向には、少なくとも１つの固定部１５５が設けられ、たとえば、本実施例では、固定部１５５は凹状に設けられ、位置決め部１４３が固定部に挿入できるようにすることが考えられる。本実施例では、第一固定部１５５ａ、第二固定部１５５ｂ、及び第三固定部１５５ｃが設けられ、３つの異なるレンジの固定式焦点調節が実現でき、複数組のレンズ１１の焦点を同時に調整する必要がある場合、固定部を用いて複数組のレンズ１１の焦点調節の一致性を実現することもできる。たとえば、調整部１４が回転して焦点を調節するプロセスが完了した後、位置決め部１４３は固定部に挿入され、固定部は位置決め部１４３に対して係止作用を果たし、調整部１４がこれ以上回動できなくなり、さらに焦点調節がより正確になり、安定的な焦点調節が実現される。固定部１５５の数及び間隔については、具体的な状況に応じて柔軟に設定し、指定の出光角度で焦点を迅速に調節できれば特に限定されないことが考えられる。位置決め部１４３が固定部１５５に出入りできるように、位置決め部１４３には弾性が必要であり、位置決め部１４３が固定部１５５に出入りするときに一定の変形が発生し、それによって、所定位置での焦点調節が可能になる。
【００３０】
図１又は図４に示されるように、いくつかの実施例では、レンズ１１を摺動部１２に固定し、レンズ１１を効果的に保護するために、レンズ１１の外側には、アダプター部１６が設けられ、アダプター部１６は、レンズ１１の外側に套設される。アダプター部１６の外側には、アダプター部１６が、脱離することなく摺動部１２に固定して接続されるように、接続件１６１が設けられる。
【００３１】
図５に示されるように、本考案の実施例に係るトラックライトは、光源１７と、光源１７が固定された放熱部１８と、放熱部１８が固定して取り付けられた上記焦点調節レンズ構造１と、を備える。
【００３２】
具体的には、光源１７は、単一のＬＥＤランプビーズ、ＣＯＢモジュール又は複数のランプビーズからなる光源板であってもよく、放熱部１８は、放熱しやすい高強度の金属材質であってもよい。トラックライトの内部に焦点調節レンズ構造１が設けられることによって、光源がレンズを通じて光を射出する角度を変えて、出光率を高める。
【００３３】
本明細書の説明において、用語「一実施例」、「いくつかの実施例」、「例示的な実施例」、「例」、「具体例」、又は「いくつかの例」などによる説明は、この実施例又は例に説明される具体的な特徴、構造、材料もしくは特性が本考案の少なくとも１つの実施例又は例に含まれることを意味する。本明細書では、上記用語の例示的な説明は、同じ実施例又は例を意味するとは限らない。そして、説明する具体的な特徴、構造、材料又は特性は、任意の１つもしくは複数の実施例又は例において適切な方式で組み合わせることができる。
【００３４】
以上、図面を参照しながら本考案の実施例を詳細に説明したが、本考案は上記実施例に制限されず、当業者が把握する知識に基づいて、本考案の主旨を逸脱することなくさまざまな変化を行うことができる。
【図１】
0003227142.tif 000003
【図２】
0003227142.tif 000004
【図３】
0003227142.tif 000005
【図４】
0003227142.tif 000006
【図５】
0003227142.tif 000007
【図６】
0003227142.tif 000008
【図７】
0003227142.tif 000009